(57)【要約】【目的】  閉鎖時にスライドドアがしゃくれないようにする。【構成】  スライドドア500 の鴨居レール510 の終端部分に位置するしゃくり止め部材ガイド部110Aと、しゃくり止め部材ガイド部110Aの内側に上下動可能に位置するしゃくり止め部材１２０Ａと、しゃくり止め部材120Aに設けられた雌ネジ部125Aに螺合され、かつしゃくり止め部材ガイド部110Aの下側壁113Aの貫通孔115Aを貫通し、先端が固定板130Aの開口131Aに空回り可能に貫通したネジ部材140Aを備え、しゃくり止め部材120Aはしゃくり止め部材ガイド部110Aの内側と、しゃくり止め部材120Aとの間に設けられたガイド機構に沿って上下動可能で、ネジ部材140Aの先端は固定板130Aの開口131Aから離脱しないために、開口131Aより径大に設定されている。【選択図】      図１
2008138432.tif 000002
【特許請求の範囲】
【請求項１】
スライドドアの鴨居レールの終端部分に位置する凹字形状のしゃくり止め部材ガイド部と、このしゃくり止め部材ガイド部の内側に上下動可能に位置するしゃくり止め部材と、このしゃくり止め部材に設けられた雌ネジ部に螺合されるとともに、前記しゃくり止め部材ガイド部の下側壁の貫通孔を貫通し、先端が固定板の開口に空回り可能に貫通したネジ部材とを具備しており、前記しゃくり止め部材は、しゃくり止め部材ガイド部の内側と、前記しゃくり止め部材との間に設けられたガイド機構に沿って上下動可能になっており、前記ネジ部材の先端は、前記固定板の開口から離脱しないために、前記開口より径大に設定されていることを特徴とするスライドドア用しゃくり止め機構。
【請求項２】
前記ガイド機構は、前記しゃくり止め部材ガイド部の対向する一対の垂直壁の内側のガイドリブと、前記しゃくり止め部材の一対の凹溝部とからなり、前記しゃくり止め部材はしゃくり止め部材ガイド部に組み込まれると、凹部溝部にガイドリブが嵌まり込んで、上下動方向の移動をガイドされることを特徴とする請求項１記載のスライドドア用しゃくり止め機構。
【請求項３】
前記ガイド機構は、前記しゃくり止め部材ガイド部の下側壁から立設された対向する一対のガイド壁と、前記しゃくり止め部材の一対の挿入孔とからなり、前記しゃくり止め部材はしゃくり止め部材ガイド部に組み込まれると、挿入孔にガイド壁が挿入されて、上下動方向の移動をガイドされることを特徴とする請求項１記載のスライドドア用しゃくり止め機構。
【請求項４】
前記ガイド機構は、前記しゃくり止め部材ガイド部の下側壁から立設された対向する一対のガイド壁と、前記しゃくり止め部材ガイド部の対向する一対の垂直壁の内側のガイドリブと、前記しゃくり止め部材の一対の挿入孔と、前記しゃくり止め部材の一対の凹溝部とからなり、前記しゃくり止め部材はしゃくり止め部材ガイド部に組み込まれると、挿入孔にガイド壁が挿入され、かつ凹部溝部にガイドリブが嵌まり込んで、上下動方向の移動をガイドされることを特徴とする請求項１記載のスライドドア用しゃくり止め機構。
【請求項５】
前記しゃくり止め部材ガイド部は、スライドドアを閉じる際の衝撃を吸収するストッパの一部を構成する受側部材の一部として設けられていることを特徴とする請求項１、２、３又は４記載のスライドドア用しゃくり止め機構。
【発明の詳細な説明】
【技術分野】
【０００１】
本発明は、家屋内のスライドドアのスライドドア用しゃくり止め機構に関する。
【背景技術】
【０００２】
家屋内のスライドドアには、図１１に示すようなストッパ７００が設けられているものがある。かかるストッパ７００は、スライドドア５００が勢いよく閉じられたとしても、バタンと閉まることなくスムーズかつ静かに閉まるようにするものである。なお、スライドドア５００は、外枠体５２０に取り付けられる鴨居レール５１０に設置されており、この鴨居レール５１０をスライドすることによって移動するようになっている。
【０００３】
前記ストッパ７００は、スライドドア５００の上端に取り付けられるストッパ本体７１０と、ガイドレール５１０の終端近傍に取り付けられる受側部材７２０とから構成されている。ストッパ本体７１０の上端からは、先端にローラ７１１が取り付けられたアーム７１２が突出している。かかるアーム７１２は、ストッパ本体７１０に内蔵された図示しないショックアブソーバー機構に連結されている。一方、受側部材７２０は、アーム７１２を受ける受け凹部７２１が形成されている。なお、図面中５３０は、スライドドア５００の先端上部に取り付けられ、スライドドア５００が振れないようにする振れ止め金具であり、その先端は二股状に形成されている。
【０００４】
スライドドア５００が閉じられると、アーム７１２が受け凹部７２１に入り込み、ショックアブソーバー機構により、スライドドア５００の閉じる方向の勢いが吸収されるため、スムーズかつ静かに閉まるのである。
【０００５】
この種のストッパとしては、図１１のものとは構造が異なるが、特開２００４−１１６２３１に開示されたものがある。
【０００６】
【特許文献１】特開２００４−１１６２３１
【発明の開示】
【発明が解決しようとする課題】
【０００７】
しかしながら、上述したストッパを装備したスライドドアには以下のような問題点がある。
すなわち、アームが受け凹部に入り込んだ際に、スライドドアが若干斜め上方向に移動し、その後、スライドドアが落ちるのである。このため、スライドドアが閉まる際に若干の異音が発生したり、しゃくれたような動きをすることがある。
これは、各部の寸法の個体差（誤差）があるために、アームが受け凹部に入り込んだ際の衝撃をショックアブソーバー機構が完全に吸収しきれない時に生じる動きである。
【０００８】
本発明は、上記事情に鑑みて創案されたもので、閉じられる際のスライドドアがしゃくれないようにするスライドドア用しゃくり止め機構を提供することを目的としている。
【課題を解決するための手段】
【０００９】
本発明に係るスライドドア用しゃくり止め機構は、スライドドアの鴨居レールの終端部分に位置する凹字形状のしゃくり止め部材ガイド部と、このしゃくり止め部材ガイド部の内側に上下動可能に位置するしゃくり止め部材と、このしゃくり止め部材に設けられた雌ネジ部に螺合されるとともに、前記しゃくり止め部材ガイド部の下側壁の貫通孔を貫通し、先端が固定板の開口に空回り可能に貫通したネジ部材とを具備しており、前記しゃくり止め部材は、しゃくり止め部材ガイド部の内側と、前記しゃくり止め部材との間に設けられたガイド機構に沿って上下動可能になっており、前記ネジ部材の先端は、前記固定板の開口から離脱しないために、前記開口より径大に設定されている。
【００１０】
また、前記ガイド機構は、前記しゃくり止め部材ガイド部の対向する一対の垂直壁の内側のガイドリブと、前記しゃくり止め部材の一対の凹溝部とからなり、前記しゃくり止め部材はしゃくり止め部材ガイド部に組み込まれると、凹部溝部にガイドリブが嵌まり込んで、上下動方向の移動をガイドされる。
【００１１】
または、前記ガイド機構は、前記しゃくり止め部材ガイド部の下側壁から立設された対向する一対のガイド壁と、前記しゃくり止め部材の一対の挿入孔とからなり、前記しゃくり止め部材はしゃくり止め部材ガイド部に組み込まれると、挿入孔にガイド壁が挿入されて、上下動方向の移動をガイドされる構成でもよい。
【００１２】
さらに、前記ガイド機構は、前記しゃくり止め部材ガイド部の下側壁から立設された対向する一対のガイド壁と、前記しゃくり止め部材ガイド部の対向する一対の垂直壁の内側のガイドリブと、前記しゃくり止め部材の一対の挿入孔と、前記しゃくり止め部材の一対の凹溝部とからなり、前記しゃくり止め部材はしゃくり止め部材ガイド部に組み込まれると、挿入孔にガイド壁が挿入され、かつ凹部溝部にガイドリブが嵌まり込んで、上下動方向の移動をガイドされる構成でもよい。
【００１３】
前記しゃくり止め部材ガイド部は、スライドドアを閉じる際の衝撃を吸収するストッパの一部を構成する受側部材の一部として設けることも可能である。
【発明の効果】
【００１４】
本発明に係るスライドドア用しゃくり止め機構は、しゃくりの原因であるスライドドアの斜め上方向への移動を上側から押さえ込むことができるので、しゃくりやそれに起因する異音の発生を抑止することができる。しかも、しゃくり止め部材は上下方向に移動可能になっているので、ここのスライドドアについての微調整が可能である。
【００１５】
しかも、ネジ部材の先端は、前記固定板の開口から離脱しないために、前記開口より径大に設定されているので、しゃくり止め部材が最も上位置や最も下位置になっていも、空回りするようになるので、ネジ部材の破損がない。
【発明を実施するための最良の形態】
【００１６】
図１は本発明の第１の実施の形態に係るスライドドア用しゃくり止め機構の要部の概略的分解斜視図、図２は本発明の第１の実施の形態に係るスライドドア用しゃくり止め機構の概略的正面図、図３は本発明の第１の実施の形態に係るスライドドア用しゃくり止め機構の概略的正面図、図４は本発明の第１の実施の形態に係るスライドドア用しゃくり止め機構を構成する受側部材の概略的平面図、図５は本発明の第１の実施の形態に係るスライドドア用しゃくり止め機構を構成する受側部材の概略的側面図、図６は本発明の第１の実施の形態に係るスライドドア用しゃくり止め機構を構成する受側部材の概略的底面図、図７は本発明の第１の実施の形態に係るスライドドア用しゃくり止め機構の概略的正面図、図８は本発明の第１の実施の形態に係るスライドドア用しゃくり止め機構とスライドドアとの位置関係を示す概略的説明図である。
【００１７】
また、図９は本発明の第２の実施の形態に係るスライドドア用しゃくり止め機構の要部の概略的分解斜視図、図１０は本発明の第３の実施の形態に係るスライドドア用しゃくり止め機構の要部の概略的分解斜視図である。
【００１８】
本発明の第１の実施の形態に係るスライドドア用しゃくり止め機構１００Ａは、スライドドア５００を閉じる際の衝撃を吸収するストッパ７００の一部を構成する受側部材７２０の一部として設けられており、スライドドア５００の鴨居レール５１０の終端部分に位置する凹字形状のしゃくり止め部材ガイド部１１０Ａと、このしゃくり止め部材ガイド部１１０Ａの内側に上下動可能に位置するしゃくり止め部材１２０Ａと、このしゃくり止め部材１２０Ａに設けられた雌ネジ部１２５Ａに螺合されるとともに、前記しゃくり止め部材ガイド部１１０Ａの下側壁１１３Ａの貫通孔１１５Ａを貫通し、先端が固定板１３０Ａの開口１３１Ａに空回り可能に貫通したネジ部材１４０Ａを備えており、前記しゃくり止め部材１２０Ａは、しゃくり止め部材ガイド部１１０Ａの内側と、前記しゃくり止め部材１２０Ａとの間に設けられたガイド機構に沿って上下動可能になっており、前記ネジ部材１４０Ａの先端は、前記固定板１３０Ａの開口１３１Ａから離脱しないために、前記開口１３１Ａより径大に設定されており、前記ガイド機構は、前記しゃくり止め部材ガイド部１１０Ａの下側壁１１３Ａから立設された対向する一対のガイド壁１１４Ａと、前記しゃくり止め部材ガイド部１１０Ａの対向する一対の垂直壁１１１Ａの内側のガイドリブ１１２Ａと、前記しゃくり止め部材１２０Ａの一対の挿入孔１２６Ａと、前記しゃくり止め部材１２０Ａの一対の凹溝部１２４Ａとからなり、前記しゃくり止め部材１２０Ａはしゃくり止め部材ガイド部１１０Ａに組み込まれると、挿入孔１２６Ａにガイド壁１１４Ａが挿入され、かつ凹部溝部１２４Ａにガイドリブ１１２Ａが嵌まり込んで、上下動方向の移動をガイドされるように構成されている。
【００１９】
前記ストッパ７００は、図８に示すように、一部が前記しゃくり止め部材ガイド部１１０Ａとして下方に向かって凹状になった帯状の板材の受側部材７２０と、  スライドドア５００の上端に取り付けられるストッパ本体７１０を有している。
【００２０】
前記ストッパ本体７１０の上端からは、先端にローラ７１１が取り付けられたアーム７１２が突出している。かかるアーム７１２は、ストッパ本体７１０に内蔵された図示しないショックアブソーバー機構に連結されている。一方、受側部材７２０は、スライドドア５００の閉じる方向に向かって下り傾斜となって傾斜面７２１ａを有する傾斜部材７２１と、この傾斜部材７２１よりスライドドア５００の閉じる方向に位置する制止部材７２２とからなり、両部材７２１、７２２の間がローラ７１１が入る受け凹部７２３となっている。なお、図面中８００は、スライドドア５００の先端上部に取り付けられ、スライドドア５００が振れないようにする振れ止め金具であり、その先端は二股状に形成されている。
【００２１】
かかるスライドドア用しゃくり止め機構１００Ａをその一部とする受側部材７２０は、図８に示すように、スライドドア５００の鴨居レール５１０の終端部分に取り付けられている。この鴨居レール５１０は、図７に示すように、二段凹字形状に形成されており、開放側が下方を向くようにしてスライドドア５００の外枠体５２０に埋め込んで取り付けられている。
【００２２】
受側部材７２０は、図示しない固定ネジによって、鴨居レール５１０の内側に取り付けられる。
【００２３】
スライドドア用しゃくり止め機構１００Ａを構成するしゃくり止め部材ガイド部１１０Ａは、例えば、ダイカスト製であり、対向した一対の垂直壁１１１Ａ（なお、図１では垂直壁１１１Ａは一方のみが現れている）と、この垂直壁１１１Ａの間を下端側でつなぐ下側壁１１３Ａとが一体に形成されたものである。
【００２４】
前記一対の垂直壁１１１Ａの内側には、半円柱形状のガイドリブ１１２Ａが向かい合って形成されている。このガイドリブ１１２Ａは、しゃくり止め部材ガイド部１１０Ａの対向する一対の垂直壁１１１Ａの内側と、前記しゃくり止め部材１２０Ａとの間に設けられたガイド機構の一部を構成するものである。すなわち、このガイドリブ１１２Ａは、後述するしゃくり止め部材１２０Ａの上下動をガイドするものであり、しゃくり止め部材ガイド部１２０Ａの幅寸法より薄い幅寸法に設定されている。
【００２５】
なお、前記ガイドリブ１１２Ａの上端部には、段差部１１６Ａが設けられている。この段差部１１６Ａは、後述する固定板１３０Ａが載置される部分である。
【００２６】
また、前記下側壁１１３Ａの中央部には、ネジ部材１４０Ａが貫通する貫通孔１１５Ａ（図４参照）が開設されている。
【００２７】
さらに、しゃくり止め部材ガイド部１１０Ａの下側壁１１３Ａの縁部には、対向した一対のガイド壁１１４Ａが立設されている。このガイド壁１１４Ａは、後述する一対の挿入孔１２６Ａに挿入されて、しゃくり止め部材１２０Ａの上下方向の移動をガイドするガイド機構を構成するものである。
【００２８】
一方、このスライドドア用しゃくり止め機構１００Ａを構成するしゃくり止め部材１２０Ａは、しゃくり止め部材ガイド部１１０Ａと同様にダイカスト製であり、一対の上段部１２１Ａと、この上段部１２１Ａの間で上段部１２１Ａから一段下がった位置にある下段部１２２Ａと、上段部１２１Ａと下段部１２２Ａとをつなぐ垂下部１２３Ａが一体に形成されたものである。
【００２９】
前記下段部１２２Ａは上段部１２１Ａより短く設定されているため、下段部１２２Ａの両端は凹溝部１２４Ａとなっている。また、下段部１２２Ａの中央部には雌ネジ部１２５Ａが形成されている。前記凹溝部１２４Ａは、しゃくり止め部材ガイド部１１０Ａの対向する一対の垂直壁１１１Ａの内側と、前記しゃくり止め部材１２０Ａとの間に設けられたガイド機構の一部を構成するものである。すなわち、この凹溝部１２４Ａは、前記ガイドリブ１１２Ａとともにガイド機構を構成するものである。かかる凹溝部１２４Ａは、前記しゃくり止め部材ガイド部１１０Ａのガイドリブ１１２Ａに対応する部分であって、幅寸法はガイドリブ１２２Ａのそれより若干大きめに設定されている。
【００３０】
このような上段部１２１Ａと下段部１２２Ａとをつなぐ垂下部１２３Ａには、前記ガイド壁１１４Ａが挿入される一対の挿入孔１２６Ａが開設されている。なお、この挿入孔１２６Ａは、ガイド壁１１４Ａに対応しているため、平面視略長四角状に形成されている。
【００３１】
かかるしゃくり止め部材１２０Ａの幅寸法は、前記しゃくり止め部材ガイド部１１０Ａのそれもより小さく設定されている。また、このしゃくり止め部材１２０Ａの高さ寸法は、しゃくり止め部材１２０Ａがしゃくり止め部材ガイド部１１０Ａの内側において上下動するために、しゃくり止め部材ガイド部１１０Ａの内側の高さ寸法より小さく設定されている。
【００３２】
また、スライドドア用しゃくり止め機構１００Ａを構成する固定板１３０Ａは、しゃくり止め部材ガイド部１１０Ａの上側の開放側に取り付けられるものであって、バー状に形成されている。かかる固定板１３０Ａは、しゃくり止め部材ガイド部１１０Ａの対向した一対の垂直壁１１１Ａの間の間隔より若干短く設定されているとともに、幅寸法はしゃくり止め部材１２０Ａの下段部１２２Ａの幅寸法より若干小さく設定されている。また、この固定板１３０Ａの両端には、段差部１１６Ａより上側の上側ガイドリブ１１７Ａが嵌まり込むための凹状切欠部１３２Ａが形成されている。
【００３３】
かかる固定板１３０Ａの中央には、ネジ部材１４０Ａの先端が貫通する開口１３１Ａが開設されている。この開口１３１Ａは、固定板１３０Ａをしゃくり止め部材ガイド部１１０Ａに取り付けると、しゃくり止め部材ガイド部１１０Ａの貫通孔１１５Ａと同じ垂直線上に位置するようになっている。
【００３４】
また、ネジ部材１４０Ａは脚部１４１Ａの先端には、ネジ山が形成されていない。また、このと脚部１４１Ａの先端は、最も小径の小径部１４２Ａと、次に小径の中径部１４３Ａと、最も大径のネジ山が形成された部分との三段構造になっている。前記小径部１４２Ａは、ネジ山が形成されておらず、固定板１３０Ａの開口１３１Ａに入り込んだ状態で加圧変形させられ、ネジ部材１４０Ａが抜け落ちないようにする。また、中径部１４３Ａは、ネジ山が形成されておらず、ネジ山がしゃくり止め部材１２０Ａの雌ネジ部１２５Ａから抜けた場合に、ネジ部材１４０Ａが空回りするようになっている。
従って、しゃくり止め部材１２０Ａの雌ネジ部１２５Ａに螺合されない位置、すなわちネジ山がしゃくり止め部材１２０Ａの雌ネジ部１２５Ａから抜ると、ネジ部材１４０Ａは空回りするので、空回りするようになるので、ネジ部材１４０Ａの破損がない。
【００３５】
かかるスライドドア用しゃくり止め機構１００Ａは次のようにして受側部材７２０に組み付けられる。
まず、図１に示すように、下段部１２２Ａが上段部１２１Ａより下になるようにして、しゃくり止め部材１２０Ａの凹溝部１２４Ａをしゃくり止め部材ガイド部１１０Ａのガイドリブ１１２Ａに嵌め込むとともに、しゃくり止め部材１２０Ａの挿入孔１２６Ａにしゃくり止め部材ガイド部１１０Ａのガイド壁１１４Ａを挿入する。
次に、固定板１３０Ａをしゃくり止め部材ガイド部１１０Ａの段差部１１６Ａに載せる。すなわち、凹状切欠部１３２Ａに上側ガイドリブ１１７Ａが入り込むようにするのである。
【００３６】
この状態で、ネジ部材１４０Ａの脚部１４１Ａをしゃくり止め部材ガイド部１１０Ａの貫通孔１１５Ａに貫通させるとともに、しゃくり止め部材１２０Ａの雌ネジ部１２５Ａに螺合させ、さらに固定板１３０Ａの開口１３１Ａに挿入する。そして、脚部１４１Ａの先端の小径部１４２Ａに圧力を加えることで、小径部４２Ａを変形させ、ネジ部材１４０Ａが回転可能ではあるが、抜け落ちないようにする。
【００３７】
この状態にあるスライドドア用しゃくり止め機構１００Ａでは、ネジ部材１４０Ａを回転させることにより、ガイド機構の作用によってしゃくり止め部材１２０Ａがしゃくり止め部材ガイド部１１０Ａの内側で上下動することになる。
【００３８】
このようにスライドドア用しゃくり止め機構１００Ａが組み付けられた受側部材７２０は、図示しない固定ネジによって、鴨居レール５１０の内側に取り付けられる。
【００３９】
スライドドア５００の上端部には、図７及び図８に示すようなスライダ５３０が突出して設けられている。このスライダ５３０は、スライドドア５００とともにスライドする。かかるスライダ５３０のうち、スライドドア５００の上端部から突出した部分は、上向きの長い凹字形状に形成された凹部５３１となっている。
【００４０】
かかるスライダ５３０の凹部５３１の上端部分は接触部５３３として、しゃくり止め部材１２０Ａの上段部１２１Ａの下面に接触する部分である。すなわち、この接触部５３３と、前記しゃくり止め部材１２０Ａの上段部１２１Ａの下面とが接触することにより、スライドドア５００のしゃくりやそれに伴う異音の発生の原因となっているスライドドア５００の若干斜め上方向への移動が抑制されるのである。
【００４１】
すなわち、しゃくり止め部材１２０Ａを上下動させることにより、スライドドア５００のスライダ５３０の接触部５３３を、しゃくり止め部材１２０Ａの上段部１２１Ａの下面に確実に接触させることができるので、スライドドア５００の各部の寸法の個体差や、各部品の寸法の個体差を吸収することができるのである。
なお、図２はしゃくり止め部材１２０Ａを最も上位置にまで上げたものを、図３はしゃくり止め部材１２０Ａを若干下げたものをそれぞれ示している。
【００４２】
なお、このように構成されるスライドドア用しゃくり止め機構１００Ａは、図８に示すように、スライドドア５００が取り付けられる外枠体５２０の終端部分に設けられている。すなわち、このスライドドア用しゃくり止め機構１００Ａは、外枠体５２０に取り付けられた鴨居レール５１０の内側でかつ終端部分に取り付けられている。スライドドア５００にストッパ本体７１０や振れ止め金具８００が設けられていたり、外枠体５２０に受側部材７２０が設けられていたりする点は、従来のものと同様である。
【００４３】
また、上述した第１の実施の形態では、ガイド機構は、しゃくり止め部材ガイド部１００Ａのガイドリブ１１２Ａとしゃくり止め部材１２０Ａの凹溝部１２４Ａ、しゃくり止め部材ガイド部１１０Ａのガイド壁１１４Ａとしゃくり止め部材１２０Ａの挿入孔１２６Ａから構成されるとしたが、これに限定されることはない。
【００４４】
例えば、図９に示す本発明の第２の実施の形態に係るスライドドア用しゃくり止め機構１００Ｂのように、第１の実施の形態におけるしゃくり止め部材ガイド部１１０Ａのガイド壁１１４Ａに相当するものと、これ対応するしゃくり止め部材１２０Ａの挿入孔１２６Ａに相当するものを用いず、しゃくり止め部材ガイド部１１０Ａのガイドリブ１１２Ａと、これに対応するしゃくり止め部材１２０Ａの凹溝部１２４Ａのみでガイド機構を構成するようにしてもよい。
【００４５】
また、逆に、図１０に示すように、第１の実施の形態におけるしゃくり止め部材ガイド部１１０Ａのガイドリブ１１２Ａに相当するものと、これに対応するしゃくり止め部材１２０Ａの凹溝部１２４Ａに相当するものを用いず、しゃくり止め部材ガイド部１１０Ａのガイド壁１１４Ａと、これ対応するしゃくり止め部材１２０Ａの挿入孔１２６Ａのみでガイド機構を構成するようにしてもよい。
【００４６】
このように、ガイド機構の構成を第１の実施の形態に係るスライドドア用しゃくり止め機構１００Ａより簡素化しても、しゃくり止め部材１２０Ａの上下方向のガイドはそれほど問題は生じない。しかも、このように構成を簡素化することによって、コストダウンを図ることができるというメリットがある。
【００４７】
なお、上述した第２及び第３の実施の形態では、第１の実施の形態と同一の構成には同一の符号を付して、その説明を省略している。
【図面の簡単な説明】
【００４８】
【図１】本発明の第１の実施の形態に係るスライドドア用しゃくり止め機構の要部の概略的分解斜視図である。
【図２】本発明の第１の実施の形態に係るスライドドア用しゃくり止め機構の概略的正面図である。
【図３】本発明の第１の実施の形態に係るスライドドア用しゃくり止め機構の概略的正面図である。
【図４】本発明の第１の実施の形態に係るスライドドア用しゃくり止め機構を構成する受側部材の概略的平面図である。
【図５】本発明の第１の実施の形態に係るスライドドア用しゃくり止め機構を構成する受側部材の概略的側面図である。
【図６】本発明の第１の実施の形態に係るスライドドア用しゃくり止め機構を構成する受側部材の概略的底面図である。
【図７】本発明の第１の実施の形態に係るスライドドア用しゃくり止め機構の概略的正面図である。
【図８】本発明の第１の実施の形態に係るスライドドア用しゃくり止め機構とスライドドアとの位置関係を示す概略的説明図である。
【図９】本発明の第２の実施の形態に係るスライドドア用しゃくり止め機構の要部の概略的分解斜視図である。
【図１０】本発明の第３の実施の形態に係るスライドドア用しゃくり止め機構の要部の概略的分解斜視図である。
【図１１】従来のこの種のスライドドアに用いられるストッパの概略的正面図である。
【符号の説明】
【００４９】
１００Ａ  スライドドア用しゃくり止め機構
１１０Ａ  しゃくり止め部材ガイド部
１１２Ａ  ガイドリブ
１１３Ａ  下壁
１１５Ａ  貫通孔
１２０Ａ  しゃくり止め部材
１２５Ａ  雌ネジ部
１３０Ａ  固定板
１４０Ａ  ネジ部材
【図１】
2008138432.tif 000003
【図２】
2008138432.tif 000004
【図３】
2008138432.tif 000005
【図４】
2008138432.tif 000006
【図５】
2008138432.tif 000007
【図６】
2008138432.tif 000008
【図７】
2008138432.tif 000009
【図８】
2008138432.tif 000010
【図９】
2008138432.tif 000011
【図１０】
2008138432.tif 000012
【図１１】
2008138432.tif 000013